(57)【特許請求の範囲】
【請求項１】
天板と、脚部と、前記天板の裏面が揺動自在に取り付けられ前記脚部に対してほぼ上下方向に摺動可能に支持される支柱と、前記天板の裏面の前記支柱との連結箇所以外の箇所と前記脚部とを連結するリンクとを備え、前記天板と脚部と支柱及びリンクとでスライダクランク機構を構成し、テーブル収納時には、前記リンクの回動と前記支柱の前記脚部に対する上方向への摺動によって前記天板が前記脚部よりも上に持ち上げられて立てられることを特徴とする折り畳みテーブル。
【請求項２】
前記天板をほぼ水平にするテーブル使用時には、前記支柱の摺動を規制して前記天板と脚部と支柱とで固定連鎖を構成する一方、前記天板を立てるテーブル収納時には前記天板と支柱とリンク及び脚部の各回り対偶並びにすべり対偶が一直線上に配置される位置関係を有していることを特徴とする請求項１記載の折り畳みテーブル。
【請求項３】
前記支柱が前記天板と前記脚部との度当たりによって固定されることを特徴とする請求項１または２記載の折り畳みテーブル。
【請求項４】
前記支柱のスライドが任意の位置でロック手段によって固定されることを特徴とする請求項１または２記載の折り畳みテーブル。
【請求項５】
前記支柱は前記脚部に収容されることを特徴とする請求項１から４のいずれかに記載の折り畳みテーブル。
【請求項６】
前記支柱が前記脚部の外に摺動可能に取り付けられていることを特徴とする請求項１から４のいずれかに記載の折り畳みテーブル。
【請求項７】
先端側が前記リンクに連結され、それよりも後端側寄りの部位で前記天板に棚用リンクを介して連結された棚板を備えることを特徴とする請求項１から６のいずれかに記載の折り畳みテーブル。
【請求項８】
前記脚部は、左右の前脚と、これら前脚を連結する補強部材とを有することを特徴とする請求項１から７のいずれかに記載の折り畳みテーブル。
【請求項９】
前記リンクを左右に備え、これらリンクの間に幕板を取り付けたことを特徴とする請求項１から８のいずれかに記載の折り畳みテーブル。
【発明の詳細な説明】
【０００１】
【発明の属する技術分野】
本発明は、収納時には天板をほぼ直立させて横にスタッキング可能にする折り畳みテーブル（フラップテーブルとも呼ばれる）に関する。更に詳述すると、本発明は折り畳みテーブルの天板の回転機構に関する。
【０００２】
【従来の技術】
会議等に使用される長いテーブルでは、使用していない多数のテーブルの収容に必要なスペースをできるだけ削減することが望まれている。このため、天板をほぼ直立状態にして水平方向に重ね合わせることができる折り畳みテーブル（実公昭６２−５０１号公報参照）がよく用いられる。
【０００３】
このような折り畳みテーブル１００は、一般に、図７に示すように、脚柱１０１の上部に固定された回転軸１０２を中心に天板１０３が水平状態と直立状態との間で回転可能とされている。そして、収容時は天板１０３を起こして直立させ、複数の折り畳みテーブル１０１の天板１０３を同方向に向けて平行にして重ね合わせる。また、図示していないが、天板１０３の下に棚板が吊り下げられることもある。
【０００４】
【発明が解決しようとする課題】
しかしながら、上述した折り畳みテーブル１００では、天板１０３の回転中心軸１０２が脚柱１０１の上部に固定されているので、天板１０３を直立させたときに脚柱１０１の前方あるいは後方（即ち重ね合わせ方向Ａ）に、Ｌ2 分だけ天板１０３が突き出てしまう。このため、複数の折り畳みテーブル１００を重ね合わせる際の間隔Ｌ1 は、前後の脚部を幅方向にずらして前のテーブルの後脚と後のテーブルの前脚とが重なり合うように構成しても、脚柱１０１からの天板１０３の重ね合わせ方向Ａへの突出量Ｌ2 分だけ嵩張り狭くすることができず、多数の折り畳みテーブル１００を収容するときの収容スペースの削減が困難であった。
【０００５】
また、棚板を天板の下に設ける場合、棚板が天板との間の間隔を変えずに天板と一緒に立てられるため、天板とは反対側へ突き出ることとなるため、その分だけ重ね方向に嵩張り、収容スペースをとることとなる。
【０００６】
そこで、本発明は、複数の折り畳みテーブルを横に重ね合わせて収容するスペースを削減できる折り畳みテーブルを提供することを目的とする。
【０００７】
【課題を解決するための手段】
かかる目的を達成するため、請求項１の折り畳みテーブルは、天板と、脚部と、天板の裏面が揺動自在に取り付けられ脚部に対してほぼ上下方向に摺動可能に支持される支柱と、天板の裏面の支柱との連結箇所以外の箇所と脚部とを連結するリンクとを備え、天板と脚部と支柱及びリンクとでスライダクランク機構を構成し、テーブル収納時には、リンクの回動と支柱の脚部に対する上方向への摺動によって天板が脚部よりも上に持ち上げられて立てられるようにしている。
【０００８】
この場合、天板を支柱と連結された部分（回り対偶・連結ピン）を中心に回転させると、当該天板と脚部とを連結するリンクが脚部側の連結箇所（回り対偶・連結ピン）を中心とする往復角運動を行うと共に支柱が上下方向に往復直線運動を行う。したがって、天板を展開してほぼ水平の状態とするテーブル使用時には、支柱の往復直線運動を固定手段あるいは天板と脚部との度当たり等によって固定すれば、天板とリンクと支柱（脚の一部は支柱の固定によって支柱の一部を成す）とで固定連鎖が構成され、天板が脚部で支えられる。また、天板が立てられるテーブル収納時には、天板の支柱との連結箇所を中心とする回転に伴って、天板とリンクとの間の挟角が広がる方向にリンクが脚部側連結箇所を中心に回動させられ、支柱を脚部より上方へ押し上げる。そして、天板が脚部よりも上に持ち上げられて脚部の延長線上に立てられる。
【０００９】
依って、テーブル収納状態では天板全体が脚部よりも上の延長線上にほぼ位置させられて立てられるので、折り畳みテーブルを横に重ねる間隔は脚部の重ね合わせ方向の厚みまで詰めることができる。
【００１０】
また、請求項２の折り畳みテーブルは、天板をほぼ水平にするテーブル使用時には、支柱の摺動・往復直線運動を規制して天板と脚部と支柱とで固定連鎖を構成する一方、天板を立てるテーブル収納時には天板と支柱とリンク及び脚部の各回り対偶並びにすべり対偶が一直線上に配置される位置関係を有するようにしている。
【００１１】
この場合、テーブル収納時には、天板と支柱とリンクの各回り対偶（連結ピン）並びにスライダとしての脚部のすべり対偶とが一直線上に配置されて死点を構成するため、支柱を固定しなくとも天板が自然に傾いて回動するのを防ぐ。ここで、テーブル使用時における支柱の往復直線運動の規制は、固定手段あるいは天板と脚部との度当たり等によって固定されるが、好ましくは天板と脚部との度当りによって固定されるものである。この場合には、天板を使用状態または折り畳み状態に変更するには天板を回転させる動作のみで足りる。また、テーブル使用時には、天板と脚部とが直接当接することによって支柱の下降を阻止できるので、支柱を固定しなくとも天板と支柱とリンクとで固定連鎖が構成される。
また、請求項３記載の折り畳みテーブルの場合、支柱が天板と脚部との度当たりによって固定されることを特徴としている。
【００１２】
また、請求項４記載の折り畳みテーブルは、支柱のスライドが任意の位置でロック手段によって固定されるようにしている。この場合、支柱のスライドを任意の位置で固定して固定連鎖を構成できるので、天板を任意の傾きで固定可能とする。
【００１３】
また、請求項５の折り畳みテーブルでは、支柱は脚部に収容されるようにしている。したがって、脚部の最上端よりも下方にある支柱が脚部の外部に露出しないので、折り畳みテーブルの使用や収容の際に邪魔になることはないと共に外観を向上させることができる。
【００１４】
更に、請求項６の折り畳みテーブルは、支柱が脚部の外に摺動可能に取り付けるようにしている。この場合、支柱と脚部との間でスライダが形成可能となるので、脚部の傾きに制約されることなくスライダクランク機構が構成できる。
【００１５】
更に、請求項７記載の折り畳みテーブルの場合、天板の回動に伴って天板とリンクとの挟角が広がったり狭まったりするため、棚板と棚用リンクとの間の挟角も広がったり狭まったりして、天板と棚板、リンク及び棚用リンクとで構成される４節回転連鎖がほぼ平行四辺形となったり、互いに重なって一直線状となったりする。即ち、棚板は天板に対し接近したり、離れたりする。
また、請求項８記載の折り畳みテーブルの場合、脚部が、左右の前脚と、これら前脚を連結する補強部材とを有することを特徴とする。更に、請求項９記載の折り畳みテーブルの場合には、リンクを左右に備え、これらリンクの間に幕板を取り付けたことを特徴とする。
【００１６】
【発明の実施の形態】
以下、本発明の構成を図面に示す実施の形態の一例に基づいて詳細に説明する。図１〜図４に示すように、折り畳みテーブル１は、脚部２と、天板３と、天板３を支持し脚部２に対してほぼ上下方向に摺動可能に取り付けられる支柱５及び脚部２と天板３とを連結するリンク６を備え、脚部２と天板３と支柱５及びリンク６とによってスライダクランク機構が構成されている。また、天板３には小荷物等を載せる棚板１８がリンク６及び棚用リンク１９によって天板３とほぼ平行となるように吊り下げられている。
【００１７】
脚部２は、直線形状で後方へ向けて傾斜した前脚７と、直線形状で前方へ向けて傾斜すると共に前脚７の上部に固定された後脚８とで「人」の字に構成されている。これら前脚７及び後脚８の下端にはそれぞれキャスター９が取り付けられ、折り畳みテーブル１の移動を可能としている。また、後脚８は前脚７よりも幅方向外側（折り畳みテーブル１の幅方向Ｗ）にずらして配置されて取り付けられている。このため、図５に示すように複数の折り畳みテーブル１を横に重ねて収容する際には、後方の折り畳みテーブル１の前脚７と前方の折り畳みテーブル１の後脚８とが干渉することを防止できる。
【００１８】
前脚７の内部は中空とされ、上端の開口がキャップ１５で塞がれている。キャップ１５は例えばプラスチック材製であり、天板３側の支持金具１０と当接する面が曲面に形成されている。そして、キャップ１５のほぼ中央には支柱５が挿通する貫通孔１５ａが設けられ、各々前脚７へ支柱５が収容されている。キャップ１５の貫通孔１５ａは支柱５に対し適度の摩擦力を与え、使用状態にある天板３が僅かな力で持ち上がったり、折り畳み状態にある天板３が僅かな力で回動しないように設けられている。勿論、支柱５のロック手段例えばキャップ１５あるいは前脚７を貫通して支柱５を直接締め付けるねじなどによって、支柱５を任意の位置で固定することも好ましい。この場合、天板３の使用角度を自由に選べたり、収納時に天板３が倒れることを確実に防止できる。支柱５は前脚７の上端のキャップ１５から前脚７の延長線上に突出され、キャップ１５がガイド即ち固定スライダとしてあるいはキャップ１５と前脚７そのものを固定スライダとして、延長線上で摺動可能に支持されている。また、前脚７の内部には、図示していないが、支柱５の下降に対して反力を与える手段例えば緩衝ばねや、ガススプリング、摩擦部材等が収容されている。このため、天板３が折り畳み状態（図１に実線で示す状態）Ｓから使用状態（図１に仮想線で示す状態）Ｕに変更するとき、下方へ向けて摺動する支柱５に対して反力を与えるので、天板３が脚部２に勢い良く衝突することを防止できる。
【００１９】
支柱５の上端部には、連結ピン４を介して天板３が揺動自在に取り付けられている。天板３と支柱５との連結は、支持金具１０を介して行われ、テーブル収納時には支持金具１０の一部によって支柱５を覆い、側方から見た外観を良くするように配慮されている。支持金具１０は、天板３の裏面側に前後方向に沿って取り付けられている。この支持金具１０に連結ピン４を以て支柱５の先端が回転可能に取り付けられている。また、支持金具１０の連結ピン４の取付位置から前端にわたる下側の面には切り欠き１０ｂが形成されている。この切り欠き１０ｂには、テーブル折り畳み状態Ｓの時に支柱５が収容される。
【００２０】
さらに、リンク６は、天板３と支柱５とが連結されている箇所以外の箇所において天板３と回転自在に連結ピン１６で連結され、天板３を使用状態Ｕから折り畳み状態Ｓに回転させるときに天板３と当該リンク６との間の挟角が広がる方向に脚部側連結箇所たる連結ピン１７を中心に回動させられ、支柱５を脚部２より上方へ押し上げさせる。天板３を折り畳み状態Ｓから使用状態Ｕに回転するときには天板３とリンク６との挟角を小さくする方向にリンク６を回転させて支柱５を脚部２へ押し入れる。例えば、このリンク６は天板３の側即ち各支持金具１０，１０の前端部分と各前脚７，７の上部とにそれぞれ連結ピン１６，１７を以て回転可能に取り付けられて、これらを連結している。図３に示すように、天板（支持金具１０を含む）３と前脚７と支柱５とリンク６とにより、固定スライダクランク機構が形成されている。
【００２１】
このため、天板３の後端縁部分を持ち上げてテーブル使用状態Ｕからテーブル折り畳み状態Ｓへと回転させると、天板３は支持金具１０の前端の連結ピン１６を中心に回転し、支柱５を前脚７から上方に引き上げる。更に、天板３は、引き上げられる支柱５の上端の連結ピン４を中心に回転してリンク６を前脚７側へ引き寄せるように回転させる。そして、連結ピン４，１６，１７が一直線状に並び死点を構成したとき、天板３が前脚７の上に平行に配置される。すなわち、天板３とリンク６と前脚７と支柱５とがほぼ一平面内に位置して折り畳み状態Ｓとなる。したがって、折り畳み状態Ｓにおける折り畳みテーブル１の間隔Ｌは、前脚７若しくは後脚８の厚さ（または天板３と支持金具１０の厚さの和）に近い間隔まで詰めて狭くすることができる。
【００２２】
また、棚板１８は、その先端側が連結ピン２０を以てリンク６の両端の連結ピン１６，１７の間の任意の位置、好ましくは天板３との間に棚として十分な空間が設定できる位置に回転自在に連結されている。更に、棚板１８は、後端側寄りの部位で棚用リンク１９によって天板３側の部材即ち支持金具１０と連結されている。棚用リンク１９と天板側の支持金具１０及び棚板１８とは、連結ピン（回り対偶）２１，２２を以てそれぞれ回転自在に連結されている。ここで、連結ピン２０，２１の間のリンク長さと連結ピン２１，２２の間のリンク長さとの和は、連結ピン２０，１６の間のリンク長さと連結ピン１６，２２の間のリンク長さとの和とほぼ等しく設定されて、ほぼ平行四辺形を成す４節回転連鎖が構成されている。したがって、天板３を立てたときには、連結ピン２０，２１，２２が連結ピン１７，１６，４を通る直線上あるいはそれと平行な一直線上に並ぶ。勿論、平行四辺形となる必要はなく、許容される範囲内で棚板１８が天板３に対して傾斜するような４節回転連鎖としても良い。また、棚板１８は、本実施形態の場合、スチールパイプ製の枠と横棚棒とから成るものが採用されているが、これに特に限定されず、例えば板材が採用されることもある。
【００２３】
なお、本実施形態では、前脚７が後方に傾斜しているので、折り畳み状態Ｓの天板３とリンク６と支柱５も前脚７と同じ角度だけ後方に傾斜している。
【００２４】
また、図示していないが、折り畳み状態Ｓを維持するロック手段が設けられることもある。この場合のロック手段は、例えば前脚７と支柱５との間で摩擦を生じさせる摩擦部材としたり、支持金具１０の切り欠き１０ｂに収容された支柱５をワンタッチで止着する止め部材とすることができる。
【００２５】
一方、テーブル使用状態Ｕでは、天板３の一部を成す支持金具１０の下面が前脚７の上端のキャップ１５に当接することによって脚外の支柱５の長さが固定されるため、支柱５とリンク６及び天板３・支持金具１０とで固定連鎖を構成し、天板３を水平に維持するストッパ等の他部材を必要としない。
【００２６】
さらに、左右のリンク６，６の間には幕板１１が取り付けられている。このため、折り畳みテーブル１の使用者の脚部を前方から隠すことができる。しかも、幕板１１により左右の脚部２，２の連結を補強することができる。また、本実施形態では、左右のリンク６，６と幕板１１とは一体の板材とされている。このため、部品点数の減少を図ることができる。
【００２７】
また、図２及び図４に示すように、前脚７の上下方向のほぼ中央位置には、左右の前脚７，７を連結する直線形状の補強部材１２が取り付けられている。このため、左右の脚部２，２を連結して折り畳みテーブル１の全体の剛性を大きくすることができる。さらに、補強部材１２の前側で前脚７のリンク６を取り付けた付近から下部にかけて目隠し板１３が取り付けられている。このため、折り畳みテーブル１の使用者の脚部を前方から隠すことができる。
【００２８】
以上のように構成された折り畳みテーブル１の折り畳み及び展開の動作を以下に説明する。
【００２９】
天板３が水平な使用状態Ｕからほぼ直立する折り畳み状態Ｓに変更するには、天板３の後端縁部を持ち上げて前方向に回転させる。これにより、支柱５が前脚７より引き出されてスライダたる前脚７からの長さを長くしながらリンク６と天板３との挟角を広げるように変位する。そして、天板３はその回転中心たる連結ピン４を上方に移動しながら先端側を支柱５に近付けるように回動してほぼ直立し、前脚７の上側の延長線上に配置される。これにより、天板３は前脚７に沿って立てられ、折り畳みテーブル１は折り畳み状態Ｓとなる。同時に、リンク６と棚用リンク１９とによって天板３の支持金具１０に吊り下げられている棚板１８も、図３に仮想線で示すように、棚板１８と棚用リンク１９との挟角を広げつつ天板３側へ引き寄せられ、連結ピン１７，１６，４上を通る前脚７の延長線上に連結ピン２０，２１，２２を並べて収容される。即ち、棚板１８は、支持金具１０の内側に天板３と僅かな隙間をあけて前脚７の上方でかつ前脚７の延長線上に収容される。
【００３０】
次いで、折り畳みテーブル１の収容は、図５に示すように、折り畳み状態Ｓにある複数の折り畳みテーブル１，１をキャスター９により移動させて同方向を向けて平行に重ね合わせてその間を詰めることによって行われる。このとき、前後の折り畳みテーブル１，１は、前方の折り畳みテーブル１の支持金具１０と後方の折り畳みテーブル１の天板３の前面が当接するまで、あるいは前後の折り畳みテーブル１，１の前脚７，７同士（若しくは後脚８，８同士）が当たるまでその間を詰めることができる。したがって、各折り畳みテーブル１は、ほぼ前脚７若しくは後脚８の厚さ程度まで間隔Ｌが詰められて収容される。これにより折り畳みテーブル１の収容スペースを最も小さくすることができる。
【００３１】
また、折り畳みテーブル１を使用する際には、天板３の上部を引き下げて回転させ、天板３及び支柱５を下降させながら天板３を水平にする。そして、天板３は前脚７の上端部とリンク６とにより水平に支持される。これにより、テーブル１として使用することができる。
【００３２】
なお、上述の実施形態は本発明の好適な実施の一例ではあるがこれに限定されるものではなく本発明の要旨を逸脱しない範囲において種々変形実施可能である。例えば、本実施形態では脚部２として直線形状の前脚７及び後脚８を結合したものとしているが、これに限られず、折り畳みテーブル１の収容時に前後方向に重ね合わせてほぼ密着できれば他の形態をとっても構わない。例えば、図６に示すように、前脚７あるいは後脚８の少なくとも一方に鉛直部１４を設けた脚部２でも良い。この場合、天板３がやや傾けられて収容される場合に比べて横に重ねて収納する多数の折り畳みテーブル１全体の収容スペースをさらに小さくすることができる。
【００３３】
また、本実施形態では支柱５は脚部２に摺動可能に収容されているが、これに限られず脚部２の外部にスライダ部材などを介して摺動可能に取り付けられるものであっても構わない。例えば、前脚７の外側壁に上下方向の透孔を有する支柱支持部材（いわゆるスライダ）を取り付けて、この透孔に支柱５を挿入することにより支柱５を摺動可能に支持するようにしても構わない。このとき、支柱支持部材そのものを前脚７に対して摺動自在に取り付けることによって、スライダクランク機構を構成するようにしても良い。
【００３４】
また、本実施形態ではリンク６を備えてスライダクランク機構を構成することにより天板３の回転及び昇降を連動させているが、場合によってはリンク６を設けずに天板３の回転と昇降とを別個に操作するようにしても良い。例えば、レバーやばね等の支柱を昇降させる昇降手段を脚部２に設ける一方、支柱５と天板３との間にはこれらを互いに回転及び止着可能とするストッパ（図示省略）を設ける。そして、使用状態Ｕから折り畳み状態Ｓに変更する際は、支柱５を昇降手段により上昇させてからストッパを緩めて天板３を立てて再びストッパで天板３を固定する。この実施形態の場合も折り畳まれたテーブルの重ね方向の間隔を脚部の重ね方向の厚さ（または天板の厚さ）に抑えて狭く詰めることができるので、折り畳みテーブルの収容スペースを小さくすることができる。しかも、天板の傾斜角度を維持しながら昇降できるので、天板３の高さ調節を行うことができる。更に、支柱５及びリンク６は前脚７側だけでなく後脚８側に設けても良い。
【００３５】
【発明の効果】
以上の説明より明らかなように、請求項１の折り畳みテーブルは、天板と、脚部と、天板の裏面が揺動自在に取り付けられ脚部に対してほぼ上下方向に摺動可能に支持される支柱と、天板の裏面の前記支柱との連結箇所以外の箇所と脚部とを連結するリンクとを備え、天板と脚部と支柱及びリンクとでスライダクランク機構を構成し、テーブル収納時には、リンクの回動と支柱の脚部に対する上方向への摺動によって天板が脚部よりも上に持ち上げられて立てられるようにしているので、テーブル折り畳み状態では天板全体が脚部よりも上のほぼ延長線上に位置させられて立てられるので、折り畳みテーブルを横に重ねる間隔を少なくとも脚部の重ね合わせ方向の厚みまで詰めて狭くすることができ、多数の折り畳みテーブルを収容するときの収容スペースを削減することができる。
【００３６】
また、請求項２の折り畳みテーブルは、天板をほぼ水平にするテーブル使用時には、支柱の摺動を規制して天板と脚部と支柱とで固定連鎖を構成する一方、天板を立てるテーブル収納時には天板と支柱とリンク及び脚部の各回り対偶並びにすべり対偶が一直線上に配置される位置関係を有しているので、天板の回転と昇降とが連動し、天板を上下動させる動作だけで天板を容易に立てたり横にしたりして状態変更を行うことができ、取り扱いが簡単である。ここで、テーブル使用時における支柱の往復直線運動の規制を、天板と脚部との度当たり等によって行うようにすれば、天板を使用状態または折り畳み状態に変更するには天板を回転させる動作のみで足りる。
また、請求項３記載の折り畳みテーブルの場合、支柱が天板と脚部との度当たりによって固定されることを特徴としている。
【００３７】
また、請求項４の折り畳みテーブルでは、支柱のスライドを任意の位置で固定して固定連鎖を構成できるので、天板を任意の傾きで固定可能とする。
【００３８】
また、請求項５の折り畳みテーブルでは、脚部の最上端よりも下方にある支柱が脚部の外部に露出しないので、折り畳みテーブルの使用や収容の際に邪魔になることはないと共に外観を向上させることができる。
【００３９】
更に、請求項６の折り畳みテーブルでは、支柱と脚部との間でスライダが形成可能となるので、脚部の傾きに制約されることなくスライダクランク機構が構成できる。
【００４０】
更に、請求項７の折り畳みテーブルでは、天板を立てると棚板も天板に引き寄せられて天板に沿って隙間なく脚の延長線上に並べて収容されるので、場所をとらず収容スペースを削減できる。また、天板を展開するテーブル使用時には、棚板が天板から離されて吊り下げられるので、小物などを載せる棚板としてのスペースを十分に確保し得る。
また、請求項８の折り畳みテーブルでは、脚部を、左右の前脚と、これら前脚を連結する補強部材とを有するようにしているので、折り畳みテーブルの全体の剛性を大きくすることができる。
更に、請求項９の折り畳みテーブルでは、リンクを左右に備え、これらリンクの間に幕板を取り付けるようにしているので、折り畳みテーブルの使用者の脚部を前方から隠すことができる。
【図面の簡単な説明】
【図１】本発明の折り畳みテーブルを示す使用状態の側面図である。
【図２】本発明の折り畳みテーブルを示す使用状態の斜視図である。
【図３】本発明の折り畳みテーブルの主要部の動きを示す側面図である。
【図４】本発明の折り畳みテーブルを示す折り畳み状態の斜視図である。
【図５】本発明の折り畳みテーブルを複数収容する状態を示す側面図である。
【図６】本発明の折り畳みテーブルの他の実施形態を示す使用状態の側面図である。
【図７】従来の折り畳みテーブルを複数収容する状態を示す側面図である。
【符号の説明】
１  折り畳みテーブル
２  脚部
３  天板
４  連結ピン
５  支柱
６  リンク
１５  キャップ
１６  リンク６と天板３とを連結するピン
１７  リンク６と脚部（前脚７）とを連結するピン
１８  棚板
１９  棚用リンク
２０  棚板１８とリンク６とを連結するピン
２１，２２  棚用リンク１９と棚板１８及び天板（支持金具１０）とを連結するピン
Ｓ  折り畳み状態
Ｕ  使用状態
【図１】
0003796314.tif 000002
【図２】
0003796314.tif 000003
【図３】
0003796314.tif 000004
【図４】
0003796314.tif 000005
【図５】
0003796314.tif 000006
【図６】
0003796314.tif 000007
【図７】
0003796314.tif 000008